(57)【要約】      （修正有）【課題】スリッパや服に付けることができ、人体の接近を検出すると、ＬＥＤランプを点灯させると共に、人体を刺激して睡眠に影響することもない夜間照明用の付け具を提供する。【解決手段】前ケース１１と後ケース１２とを含む本体部分を備え、前ケースと後ケースとの間には、電気素子を収納するためのチャンバが形成され、電気素子は、制御回路基板２０と、それぞれ制御回路基板に接続されている電源と、コンデンサ式の人体感知センサと、環境光強度センサ２２と、ＬＥＤランプ２３とを含み、後ケースに挟持部材３が設置されている。【選択図】図３
0003195502.tif 000002
【実用新案登録請求の範囲】
【請求項１】
前ケース（11）と後ケース（12）とを含む本体部分（1）を備え、前記前ケース（11）と後ケース（12）との間には電気素子を収納するためのチャンバが形成されている夜間照明用の付け具であって、
前記電気素子は、制御回路基板（20）と、
前記制御回路基板（20）に接続されている、給電するための電源（21）と、
前記制御回路基板（20）に接続されている、人体の夜間照明用の付け具に対する接近に感知するためのコンデンサ式の人体感知センサと、
前記制御回路基板（20）に接続されている、環境光強度を検出するための環境光強度センサ（22）と、
前記制御回路基板（20）に接続されている、夜間照明するためのLEDランプ（23）と、
を含み、
前記夜間照明用の付け具は、前記後ケース（12）に設置されている挟持部材（3）をさらに備えることを特徴とする夜間照明用の付け具。
【請求項２】
前記電気素子は、
前記制御回路基板（20）に接続されている、人が転ぶことを検出するための振動スイッチ（24）と、
前記制御回路基板（20）に接続されている、振動スイッチ（24）が触発される時に警報を出すブザー・サイレン（25）と、
をさらに備えることを特徴とする請求項1に記載の夜間照明用の付け具。
【請求項３】
前記制御回路基板（20）には、前記コンデンサ式の人体感知センサの感度を調節するための調節デバイスが設置されていることを特徴とする請求項1又は2に記載の夜間照明用の付け具。
【請求項４】
前記本体部分（1）は漫画キャラクターの形をしていることを特徴とする請求項1又は2に記載の夜間照明用の付け具。
【請求項５】
環境光強度センサ（22）はフォトレジスタ又は光電トライオードであることを特徴とする請求項1又は2に記載の夜間照明用の付け具。
【請求項６】
前記後ケース（12）には、二つの前記挟持部材（3）が設置され、前記挟持部材（3）は弾性を有するクランプであることを特徴とする請求項1又は2に記載の夜間照明用の付け具。
【請求項７】
前記LEDランプ（23）は白光LEDであることを特徴とする請求項1又は2に記載の夜間照明用の付け具。
【考案の詳細な説明】
【技術分野】
【０００１】
本考案は、夜間照明装置に関し、より詳しくは、夜間照明用の付け具に関する。
【背景技術】
【０００２】
夜間睡眠の途中で、トイレに行きたいときや、夜間に喉が渇いて水を飲みたいときなど、起床して点灯する必要がある活動がある。通常の場合、まず点灯し、活動を完成した後、また消灯して寝る。この過程において、ランプの光が人に強烈な刺激を与えることより、眠気がふっと消えることがあり、このような過程を繰り返すと、不眠になって、一連の健康問題を起こしてしまうことがある。これは老人や体が弱い人にとって特に深刻な問題である。
【０００３】
夜間照明の便利のために、様々な小型の夜光灯も現れた。夜光灯の光は、普通の照明灯具より暗く、夜光灯を夜通し付けておく人もいるが、明らかに、これも睡眠に影響がある。夜間に起床して活動する時にのみ夜光灯を付ける人もいるが、夜光灯のスイッチが安全な場所に取り付けられるのが一般であるため、便利に開閉することができず、体が弱い人や老人の場合、暗闇の中にベッドからスイッチの所に歩く途中に、転んでしまう恐れがある。
【考案の概要】
【考案が解決しようとする課題】
【０００４】
本考案の目的は、服やスリッパ等の物に付け可能な夜間照明用の付け具を提供することにあり、夜間の暗い環境において、人がスリッパや服を身に着け、付け具が人体の接近を検出すると、付け具のLEDランプを点灯させることにより、照明の効果を実現する。LEDランプは、光が柔らかく、明るさが好適であるので、照明の需要に満足できると共に、人体を刺激して睡眠に影響することはない。
【課題を解決するための手段】
【０００５】
本考案に係る夜間照明用の付け具は、前ケース及び後ケースを含む本体部分を備え、前記前ケースと後ケースとの間には電気素子を収納するためのチャンバが形成され、
前記電気素子は、制御回路基板と、
前記制御回路基板に接続されている、給電するための電源と、
前記制御回路基板に接続されている、人体の夜間照明用の付け具に対する接近を感知するためのコンデンサ式の人体感知センサと、
前記制御回路基板に接続されている、環境光強度を検出するための環境光強度センサと、
前記制御回路基板に接続されている、夜間照明するためのLEDランプと、を含み、
前記夜間照明用の付け具は、前記後ケースに設置されている挟持部材をさらに備える。
【０００６】
本考案に係る夜間照明用の付け具において、前記電気素子は、
前記制御回路基板に接続されている、人が転ぶことを検出するための振動スイッチと、
前記制御回路基板に接続されている、振動スイッチが触発される時に警報を出すブザー・サイレンと、をさらに含む。
【考案の効果】
【０００７】
本考案に係る夜間照明用の付け具を実施すれば、以下の有益な効果を得られる。本考案に係る夜間照明用の付け具は、服やスリッパ等の物に付け可能であるので、使用上便利で適応性が高く、さらに、コンデンサ式の人体感知センサを採用するので、感度よく人体の接近を感知することができ、暗い夜間に起床して活動する人に照明を提供することができると共に、人に刺激を与えずに済む。
【図面の簡単な説明】
【０００８】
以下、図面及び実施例を参照して本考案を更に説明する。図面において、
【図１】本考案に係る夜間照明の付け具の好ましい実施例の斜視図その一である。
【図２】本考案に係る夜間照明の付け具の好ましい実施例の斜視図その二である。
【図３】本考案に係る夜間照明の付け具の好ましい実施例の分解模式図である。
【図４】本考案に係る夜間照明の付け具の好ましい実施例の回路の模式図である。
【図５】本考案に係る夜間照明の付け具の好ましい実施例の電源の模式図である。
【考案を実施するための形態】
【０００９】
本考案の技術特徴、目的及び効果をより明確に理解するために、図面を参照して本考案を実施するための形態を詳しく説明する。
【００１０】
図1から図5に示すように、本考案の夜間照明用の付け具の好ましい実施例の一つである。本実施例の夜間照明用の付け具は、漫画のパンダの顔の形をする付け具であり、当該付け具は漫画のパンダの顔の形をする本体部分1を備え、当該本体部分1は、前ケース11及び後ケース12を含み、前ケース11と後ケース12とは連結部材により固定され、前ケース11及び後ケース12の間には電気素子を収納するためのチャンバが形成されている。後ケース12には、付け具を服又はスリッパ等の物に付けるための挟持部材3が設けられている。本実施例において、後ケース12に挟持部材3が二つ設置され、該挟持部材3は弾性を有するクランプであり、当該クランプにより、付け具を他の物に便利に固定することができる。
【００１１】
図3から図5を参照して、本実施例において、電気素子は制御回路基板20と、それぞれ制御回路基板20に接続されている電源21と、コンデンサ式の人体感知センサと、環境光強度センサ22と、LEDランプ23と、振動スイッチ24と、ブザー・サイレン25と、などのデバイスを含む。制御回路基板20には、プログラム可能なデバイスが設置され、該プログラム可能なデバイスはシングルチップコンピュータやマイクロプロセッサである。本実施例において、プログラム可能なデバイスはシングルチップコンピュータ201である。電源21は、付け具全体に給電するためのものである。本実施例において、付け具の体積を小さくするために、電源21にはボタン型電池を採用することができる。コンデンサ式の人体感知センサは、人体の接近に感知するためのものであり、金属感知シートK0を有し、人体が金属感知シートK0に接近すると、金属感知シートK0の対地容量が変化し、コンデンサ式の人体感知センサは金属感知シートK0の対地容量の変化によって人が付け具に接近しているか否かを検出し、判断する。環境光強度センサ22は、付け具が暗闇にあるか否かを判断するために、環境光強度を検出するためのものであり、付け具が暗闇にあり、且つ人に接近される場合、例えば、人が付け具の付けられたスリッパや服を身に着ける場合にのみ、制御回路基板20は、照明を提供するように、LEDランプ23を点灯させる。LEDランプ23は、トライオードQ1によって駆動される。振動スイッチ24は、夜間に起床して活動するときに、不意に転ぶ老人や体の弱い人が助けられない状況を回避するように、人が転ぶことを検出する。人が転ぶと、付け具に衝撃が与えられ、すると、振動スイッチ24が触発される。ブザー・サイレン25は、振動スイッチ24が触発される時に警報音を発し、他の人に現場に駆けつけて救助するように報知する役割を果たす。本実施例において、ブザー・サイレンがトライオードQ2によって駆動される。本実施例において、付け具がより好適に作動できるように、制御回路基板20には、コンデンサ式の人体感知センサの感度を調節するための調節デバイスがさらに設置されている。これにより、コンデンサ式の人体感知センサに適切な感度を維持させ、誤判を防止する。
【００１２】
本実施例において、環境光強度センサ22は光電トライオードであるが、フォトレジスタ、又は光強度を検出できる他の光電素子を採用することもできる。本実施例において、LEDランプ23には白光LEDを採用するが、必要に応じて他の色のLEDランプを採用することもできる。
【００１３】
他の実施例において、好ましい実施例における振動スイッチ及びブザー・サイレンを省略することができ、この場合、付け具は夜間照明のみを提供し、転ぶことを報知する役割は果たせない。
【００１４】
本考案に係る夜間照明用の付け具は、各種の漫画キャラクターの形に製造することができ、動物や人物にすることができ、好ましい実施例におけるパンダの形に限られない。
【００１５】
本考案に係る夜間照明用の付け具は、さらに人が転ぶことを検出し、警報を発して助けを求めることができ、特に老人や体が弱い人に向いている。
【００１６】
以上、図面を参照しながら本考案の実施例を説明したが、本説明は上記の実施形態に限定されるものではなく、上記の実施形態は例示的なものに過ぎず、限定的なものではない。本技術の分野における通常の知識を有する者は、本考案の開示により、本考案の要旨及び実用新案登録請求の範囲に記載された範囲を逸脱しない限り、様々な形態で実施することができるが、これらも本考案の範囲に含まれる。
【図１】
0003195502.tif 000003
【図２】
0003195502.tif 000004
【図３】
0003195502.tif 000005
【図４】
0003195502.tif 000006
【図５】
0003195502.tif 000007